(57)【要約】      （修正有）【課題】額縁とそれらの額縁と梱包材の概念を一体化することによって軽量で安価で加工のしやすい梱包材兼用額縁を提供する。【解決手段】額縁全体を作品の梱包材と考え、段ボールなどの梱包材を型抜きし額縁内側蓋１を設け同素材の型抜きした外側を額縁２とし額縁内側蓋１をはめ込むことによって梱包することを特徴とする。同様に裏側も裏蓋縁５と裏蓋７に型抜きし作品を収納する際に裏蓋７をはめ込むことを特徴とする。【選択図】図１
0003213609.tif 000002
【実用新案登録請求の範囲】
【請求項１】
従来の額縁の額縁部分２の内側に蓋１を設け一体化させることによって作品の梱包材を兼ねる梱包材兼用蓋付額縁
【請求項２】
段ボール等の梱包素材から同一素材から型抜きし裏蓋縁５と裏蓋７を設けることによって留め金具を必要としない梱包材兼用蓋付額縁
【考案の詳細な説明】
【技術分野】
【０００１】  本考案は、絵画ポスター等の梱包材を兼ねた簡易額縁に関するものである。
【背景技術】
【０００２】  ポスター等の紙媒体による作品を保管又は搬送する際に筒状の梱包材に丸めて収納していた。額縁を保管又は搬送する際に別に梱包材を必要としていた。
【考案の概要】
【考案が解決しようとする課題】
【０００３】  ポスター等の紙媒体作品を筒状の梱包材に収納することによって巻癖がつき、巻かずに梱包し額装する際には作品に対する平面の梱包材が必要である。又、紙媒体以外のキャンバスや板状の作品に対しても作品の梱包材とは別に額縁を必要とする際には、作品に対する梱包材と別に額縁を用意して額装するという経済的負担と労働時間等の手間が必要である。一般的に額縁は木製や金属製で重いものが多い、材料費や作業工程にコストがかかることによって大量生産によるオリジナルデザインをやりにくいものとしている。
従来は額縁の裏蓋のほとんどは留め金具によって固定されていて、留め金具のねじが外れたり金具のよれによって裏蓋がきっちり収まりにくく取り付けの手間を要する。
従って、梱包材と額縁の機能を兼用することによって、ポスター等の平面作品を収納、梱包、加工しやすくし、前述の課題を解決しようとするものである。
【課題を解決するための手段】
【０００４】  本考案は段ボール等の梱包材に抜き型による切り込みを入れ、額縁部分と額縁の窓部分の蓋を分断し、且、作品を入れる側の裏蓋部分にも同様の処置を施し塩ビシート等の薄手の透明素材を挟み接着することによって梱包材と額縁の両方の機能を持つ。これよって従来の平面作品と額縁を別々に梱包していたコストを削減し、作品を額縁に入れる作業時間を短縮し、ポスター等の紙媒体作品を丸めることなく梱包、搬送することが安易になる。また、製作工程が単純で段ボール等の梱包材を使うために軽量であり、印刷が可能であるため安価なオリジナルデザインの額縁を提供することが可能になる。
裏蓋に関しても、同一の段ボール等の素材を型抜きすることから、はめ込むと簡単に外れないので留め具を必要としないため製作負担を大幅に削減できる。
【考案の効果】
【０００５】  前述のように本考案は梱包材と額縁の機能を兼ねるため、作品を購入する際に額縁を別に用意する手間が省け、印刷や加工がが容易であるために作品に合ったオリジナルデザインの額縁を提供することが可能である。また、製作工程で作品をあらかじめ梱包すれば、従来の額縁に入れる作業を省略するので、作品に触れることなく折皺や汚れの心配もなくなる。額縁の窓部分に蓋がつくことによって、そのまま梱包材として収納が容易である。裏蓋の留め金具を必要としないために取り付けの手間が省ける。
軽量で壁面に両面テープ等でも接着固定可能できるので、展示会などでの展示方法のバリエーションが増える。
【図面の簡単な説明】
【０００６】
【図１】  本考案の梱包材兼蓋付額縁の展開図である。
【図２】  本考案の梱包材兼蓋付額縁の分解図である。
【図３】  本考案の梱包材兼蓋付額縁の梱包時の額縁側正面図である。
【図４】  本考案の梱包材兼蓋付額縁の梱包時の裏蓋側正面図である。
【図５】  本考案の梱包材兼蓋付額縁の一部切欠断面展開図図である。
【図６】  本考案の梱包材兼蓋付額縁の梱包時の一部切欠断面である。
【考案を実施するための形態】
【０００７】  本考案の梱包材兼蓋付額縁の実施形態について図面を参照にして説明する。図１に本考案の第一の実施形態を示す。図１は額縁内側蓋１と作品６と裏蓋７が本体から外れた状態で展開図として表わしたものである。額縁２と透明素材板３間紙４と裏蓋額５は接着し一体化して本体とする。
【０００８】  図２は素材の分解図である。額縁内側蓋１と額縁２は同一の段ボールなどの梱包素材を型抜きし額縁内側蓋１と額縁２に分けたものである。同様に裏蓋額５と裏蓋７も同一の段ボールなどの梱包素材を型抜きし分けたものである。透明素材３についてはポスターなどの作品６にあたる紙媒体以外で作品自体が折れ曲がらないキャンバスや板状の素材のものに関しては省略が可能である。間紙４については作品６がポスターなどの紙などのごく薄いものの場合は厚みを必要としないので省略が可能であり、必ずしも必要としない。
【０００９】  図３は梱包時の正面図である。額縁内側蓋１と額縁２は同一素材から型抜きされたものであるために正確にぴったりはまるので簡単にはずれることがない。同様に図４の裏蓋額５と裏蓋７も同一素材から型抜きされたものであるために正確にぴったりはまるので簡単にはずれることがない。これによって裏蓋７は通常必要とされる留め具を必要としない。表裏ともに印刷が可能であり、同一素材を型抜きするために新しい表現を可能にする。尚、蓋を開けやすくすることが必要な場合は額縁内側蓋１と本体、及び裏蓋７と本体の間に紙等の薄い素材を挟むか、額縁内側蓋１及び裏蓋７に切り込みを入れることで対処する。
【００１０】  梱包素材に関しては段ボール、プラスチック段ボール、ウレタン素材、ポリエチレン積層材などが考えられるが小ロットでの加工で低コストを実現するためには段ボールが望ましい。透明素材に関しては、軽量化を図るため厚みを１ｍｍ以下とする。素材はアクリル、ＰＰ、塩ビなどが考えられるが透明度やコストを抑えるためには塩ビ素材が望ましい。
【符号の説明】
【００１１】  １    額縁内側蓋
２    額縁
３    透明素材板（塩ビシート、アクリル板、ＰＰシート他）
４    間紙
５    裏蓋縁
６    作品
７    裏蓋
【図１】
0003213609.tif 000003
【図２】
0003213609.tif 000004
【図３】
0003213609.tif 000005
【図４】
0003213609.tif 000006
【図５】
0003213609.tif 000007
【図６】
0003213609.tif 000008
【手続補正書】
【提出日】平成29年8月19日(2017.8.19)
【手続補正１】
【補正対象書類名】実用新案登録請求の範囲
【補正対象項目名】全文
【補正方法】変更
【補正の内容】
【実用新案登録請求の範囲】
【請求項１】
額縁部分２の内側に蓋１を設け、額縁部分２と蓋１とを一体化させることによって作品の梱包材を兼ねることを特徴とする梱包材兼用蓋付額縁
【請求項２】
段ボール等の同一素材からなる梱包素材から裏蓋縁５と裏蓋７とを型抜きし、梱包材兼  用蓋付額縁に裏蓋縁５と裏蓋７とを設けることによって留め金具を必要としないことを  特徴とする請求項１に記載の梱包材兼用蓋付額縁